(57)【要約】【課題】デモモードへ設定するための操作をすることなくデモモードへの移行を可能とする。不必要なときにはデモモードを終了する。【解決手段】映像表示手段を備えた映像記録装置において、情報記録媒体が装置に装着されていない状態で電源を入れるとデモモードへ入る。また一定時間経過後電源が落ち、装置のキーを押すか、振動を与えるとデモモードへ復帰する。【選択図】　　　　図１
2004015198.tif 000002
【特許請求の範囲】
【請求項１】
複数の機能を有し、それらを個々に実行可能な電子機器であり、それらの機能をユーザーに理解させるべく、実際に再現するためのデモンストレーションモードを備え、それらを表示する映像表示手段を備えた映像記録再生装置において、情報記録媒体の有無を検出する手段をもち、情報記録媒体が装置に装着されていない状態で電子機器装置の電源を入れるとデモンストレーションモードに入ることを特徴とする。
【請求項２】
請求項１の装置においてタイマーを内蔵し電源投入後、デモンストレーションモードに入った後で一定時間経過後、映像表示手段の電源が切れることを特徴とする。
【請求項３】
請求項１の装置においてカウンターを内蔵し電源投入後、デモンストレーションモードに入った後で、デモンストレーションモードを規定回数表示し終わった後に映像表示手段の電源が切れることを特徴とする。
【請求項４】
請求項１の装置においてデモンストレーションモードを表示後、請求項２または３の条件で映像表示手段の電源が切れた後に、いずれかの操作スイッチが操作されたときに映像表示手段の電源が復帰することを特徴とする。
【請求項５】
請求項１の装置において振動を検出する手段をもち、デモンストレーションモードを表示後、請求項２または３の条件で映像表示手段の電源が切れた後に、振動を検出した場合映像表示手段の電源が復帰することを特徴とする。
【請求項６】
請求項１の装置においてデモンストレーションモードに入るか否かを選択可能なスイッチを備えた事を特徴とする。
【発明の詳細な説明】
【０００１】
【発明の属する技術分野】
本発明は機能をユーザーに理解させるべく、実際に再現するためのデモンストレーションモードを有するカムコーダ等の映像記録装置に関するものである。
【０００２】
【従来の技術】
近年、仕様の多様化に伴いこれらをいかに消費者に印象づけるかが販売上の大きな検討課題となっている。その一例としてカムコーダでは製品に設けられたデジタル特殊効果機能やズーム等の機能を店頭で実行させ、消費者にアピールすることを主目的としたデモンストレーションモード（以下デモモード）を搭載したものが出ている。デモモードは消費者が撮影や再生で使うモードではないため、不用意に入ってはならない。そのためデモモードを実行するには以下のような複雑な手順が必要だった。
【０００３】
まず、電源オフ状態である２つのキー（カメラ操作で使わないキー、たとえばＦＦとＲＥＷキーなど）を同時に押しながら電源をオンさせるとデモモードへ入る。
【０００４】
該デモモードへ入ると製品に設けられたデジタル特殊効果機能やズーム等の機能を順次実行し、一通り終了すると最初の機能の表示にもどり、デモモードを終了させるまで（電源をオフにするまで）上記動作を繰り返す。
【０００５】
【発明が解決しようとする課題】
従来の方法では、デモモードへ移行する際に人手を介して設定しなければならず、実際のところデモモードが組み込まれていても設定されない場合が多かった。またデモモードへ入った場合、不必要な場合（周りに消費者がいないような場合）でもデモモードを繰り返すことにより装置の劣化や、無駄な電力を消費する結果となった。
【０００６】
【課題を解決するための手段】
本発明においては本体に情報記録媒体（テープやディスク、カード等）の検出手段を持ち情報記録媒体が装着されていない状態で電源が投入されると自動的にデモモードに入る事を特徴とする。
【０００７】
またタイマーまたはカウンターを内蔵し、一定時間を過ぎて、またはデモモードを規定回数表示した後に、その時点で操作キー類が押されていない場合、それを検知し映像表示手段の電源をＯＦＦにする事を特徴とする。
【０００８】
その後いずれかの操作キーが押された場合、それを検知し映像表示手段の電源をＯＮにすることを特徴とする。あるいは振動検知手段を内蔵し、振動が与えられた時に映像記録手段の電源がＯＮになることを特徴とする。
【０００９】
【発明の実施の形態】
本発明の１実施例を図１および図２をもちいて説明する。
【００１０】
図１は本発明の第１実施例の構成を示すブロック図であり、１は情報を取り込む所の撮像部、２はカメラの信号処理回路で、撮像部１から出力されるアナログ信号をデジタルに変換し、所定の処理、たとえば色信号と輝度信号に分ける等を行い、再びデジタル信号をアナログに変換する。３はデジタル特殊処理回路でカメラ信号処理回路２から出力されるデジタル信号を取り込んで、色々な特殊効果が得られるように加工する。４は第１マイクロコンピュータ（以下第１マイコン）で、カメラ信号処理回路２とデジタル特殊効果回路３をそれぞれ制御する。５は第２マイクロコンピュータ（以下第２マイコン）で、主に本画像記録装置全体のシステムを制御する。６は電源スイッチでその信号は第２マイコンに入り、第２マイコンは電源７からの電力をメカ機構部８や表示部（ＬＣＤやＥＶＦなど）９に供給させる命令を出す。１０は本画像記録装置の操作上必要な操作キー類で、該操作キー類１０からの信号は第２マイコン５により読み取られる。１１は時間の経過を刻むタイマーでこの情報は第２マイコン５で読み取られる。１２は文字や数字等のキャラクターを発生するキャラクター発生回路で、第２マイコン５により制御される。１３は加算機で、カメラ信号処理回路２から出力されるアナログ信号とキャラクター発生回路１２から出力されるキャラクター信号とを加算する。加算された信号は表示部９に入力される。１４は機構部８を制御する第３マイクロコンピュータ（以下第３マイコン）で、第２マイコン５と通信を行う。なお第１マイコン４と第２マイコン５の間でも通信が行われる。１５はレコーダ信号処理回路でカメラ信号処理回路２から出力される信号を処理し、電磁変換回路１６を介し、記録媒体１７（たとえばカセットテープ）や記録媒体１８（たとえばカード）に記録する。この記録媒体１７，１８は機構部８に挿抜可能に装着され、機構部８には記録媒体１７，１８が装着されたか否かを判別するスイッチ１９，２０がある。それらの信号は第３マイコン１４に読み取られる。２１はデモモードのＯＮ／ＯＦＦスイッチで、その信号は第２マイコン５で読み取られる。
【００１１】
次に上記構成になる本実施例のデモモードおよびその解除動作を図２により説明する。
【００１２】
図２のステップＳ２０１で電源ＯＦＦ状態から、電源スイッチ６をＯＮにし、第２マイコン４がその信号を読み取るとステップＳ２０２の電源ＯＮ状態になる。次のステップＳ２０３で第２マイコン５は第３マイコン１４を介しスイッチ１９，２０の状態を読み記録媒体１７，１８の状態を判別する。記録媒体１７，１８のどちらか、もしくは両方が装着されていると判断されると電源スイッチ６および操作スイッチ１０の設定するモード（撮影もしくは再生モード）へ入る。記録媒体１７，１８の両方とも装着されていない場合、次のステップＳ２０４へ進み、デモモードスイッチ２１がＯＦＦの場合は電源スイッチ６および操作スイッチ１０の設定するモードへ入る。デモモードスイッチがＯＮの場合（メーカー出荷時はこの設定）は次のステップＳ２０５へ進みデモモードが実行される。ステップＳ２０５でデモモードになると、第２マイコン５は第１マイコン４に対しデモモードになったことを通知するとともに、図３に示すようにキャラクター表示（デモモードの表示Ａとデモモード中のデジタル特殊効果の名称Ｂ）を表示装置９の画面上に表示させるようにキャラクター発生回路１２を制御する。第１マイコン４はカメラ信号処理回路２とデジタル特殊効果回路３をそれぞれ制御して、撮像部１からの信号に対してデジタル処置を施す。該デジタル処理後の信号は加算機１３で前キャラクター発生回路１２からの信号と加算され表示部９に送られる。前記デモモードはカメラ部に備えたデジタル特殊効果機能等を順次実行し、１順した後は再び最初にも出るよう第１，２マイコン４，５で制御される。
【００１３】
次のステップＳ２０６に進みデモモードを開始してからある決められた時間（たとえば１０分間）が経過したことを第２マイコン５がタイマー１１よりの信号により検知すると、ステップ２０７に進む。操作キー類１０のどれかが触られているのを、操作キー類１０の信号より第２マイコン５が検知した場合は、ステップ２０３に戻る。第２マイコン５が操作キー類１０からの信号を検知しなかった場合は、ステップ２０８に進み第２マイコン５は、第１マイコン４およびキャラクター発生回路１２に対しデモモードを終了するよう制御し、表示装置９にたいし電源７が切られるよう制御する。ステップＳ２０９において第２マイコン５には電源が供給されており、操作キー類１０のどれかが操作されたのを検知した場合ステップ２０３に戻り、プロセスを踏んで条件が合えばデモモードが実施される。
【００１４】
図４、図５は第２の実施例のブロック図およびフローチャートで、図１のタイマー１１が図４ではカウンター１１に、図２のステップＳ２０６の“Ｘ時間経過したか”が、図５ではステップＳ４０６として“デモモードをＸ回繰り返したか”に変わっている。デモモードに入るまでのプロセスは第１の実施例と同じである。ステップＳ４０６で、ソフト上に組み込まれたフラッグをカウンター１１が読み取り、信号を第２マイコン５に送る。第２マイコン５では回数を加算し決められた回数（たとえば１０回）に達するとステップ２０７に進み、その後は第１の実施例と同じ経過をたどる。
【００１５】
図６、図７は第３の実施例のブロック図およびフローチャートで、図６は図１に対し振動センサー２２が追加になっている。振動センサー２２で検知された振動は信号となっては第２マイコン５に入る。図７においてフローチャートの流れはステップＳ７０７までは図２のステップＳ２０７までと同じである。ステップＳ７０８において振動センサー２２からの信号が第２マイコン５へ入ると（振動したことを検知すると）ステップＳ７０３へ戻る、振動センサー２２からの信号がなければステップＳ７０９に進み、第２マイコン５は、第１マイコン４およびキャラクター発生回路１２に対しデモモードを終了するよう制御し、表示装置９にたいし電源７が切られるよう制御する。その後ステップＳ７０７で操作キー類１０が押されたのを第２マイコンが検知するか、ステップＳ７１１で振動センサー２２が振動を検知すればステップＳ７０３へ戻る。それ以外はステップＳ７０９の状態が続く。
【００１６】
図７においてステップＳ７０６の代わりに図５のステップＳ４０６“デモモードをＸ回繰り返したか”をおいても良い。
【００１７】
図７においてステップＳ７０７とＳ７０８を置いたが、ステップＳ７０７を省いても良い。
【００１８】
本実施例においては記録媒体をテープとカードの２種で設定したが、そちらかひとつでも良い、またディスク等加えて３種以上あっても良い。
【００１９】
【発明の効果】
本発明によれば、本体に情報記録媒体が装着されていない状態で電源が投入されると自動的にデモモードに入る事が可能となる。
【００２０】
また、一定時間を過ぎるか或いはデモモードを規定回数表示した後に、その時点で操作キー類が押されていない場合、映像表示手段の電源をＯＦＦにする事を可能とする。
【００２１】
その後いずれかの操作キーが押された場合、映像表示手段の電源をＯＮにすることを可能とする。或いは振動検知手段を内蔵し、振動が与えられた時に映像記録手段の電源がＯＮになる様に自動的にデモモードを設定できる。またデモモードへ入った場合、不必要な場合でもデモモードを繰り返すことなく、装置の劣化や、無駄な電力の消費を回避することが出来る。
【図面の簡単な説明】
【図１】本実施例の画像記録装置の構成を表すブロック図
【図２】同画像記録装置のデモモードの制御を示すフローチャート図
【図３】同画像記録装置のデモモード時における表示装置の画面の表示例
【図４】他の実施例の構成を表すブロック図
【図５】他の実施例のフローチャート図
【図６】他の実施例の構成を表すブロック図
【図７】他の実施例のフローチャート図
【符号の説明】
１　撮像部
２　カメラ信号処理回路
４，５，１４　マイクロコンピュータ
９　表示部
１０　操作キー類
【図１】
2004015198.tif 000003
【図２】
2004015198.tif 000004
【図３】
2004015198.tif 000005
【図４】
2004015198.tif 000006
【図５】
2004015198.tif 000007
【図６】
2004015198.tif 000008
【図７】
2004015198.tif 000009